(57)【要約】【課題】    １頁内で部分的に厚さが異なる連続用紙を使用した場合に、スタックトレイ装置上に積載される連続用紙の上面の傾斜を少なくすること。【解決手段】昇降テーブル昇降装置により昇降される昇降テーブル１１と、前記昇降テーブル１１上にダンパ１３を介して傾斜可能に支持され且つ折り畳み癖の付いた折り線を有する連続用紙Ｐが前記折り線で折り畳まれながら排出されるスタッカテーブル１４と、前記スタッカテーブル１４上に積載された連続用紙Ｐの前記折り線で区切られた１頁分の用紙の重量の偏りに応じて変形する前記ダンパ１３であって、前記１頁分の用紙の厚さの偏りに応じて発生する前記積載された連続用紙Ｐ上面の傾斜が減少するように、前記スタッカテーブル１４を傾斜させる前記ダンパ１３とを備えた連続用紙スタックトレイ装置ＴＲ２。【選択図】  図１
2006213481.tif 000002
【特許請求の範囲】
【請求項１】
次の構成要件（Ａ01）〜（Ａ03）を備えた連続用紙スタックトレイ装置、
（Ａ01）昇降テーブル昇降装置により昇降される昇降テーブル、
（Ａ02）前記昇降テーブル上にダンパを介して傾斜可能に支持されたスタッカテーブルであって、折り線を有する連続用紙が前記折り線で折り畳まれながら排出されるスタッカテーブル、
（Ａ03）前記スタッカテーブル上に積載された連続用紙の前記折り線で区切られた１頁分の用紙の重量の偏りに応じて変形する前記ダンパであって、前記１頁分の用紙の厚さの偏りに応じて発生する前記積載された連続用紙上面の傾斜が減少するように、前記スタッカテーブルを傾斜させる前記ダンパ。
【請求項２】
次の構成要件（Ａ04）を備えた請求項１記載の連続用紙スタックトレイ装置、
（Ａ04）前記スタッカテーブル上に積載された連続用紙の前記折り線で区切られた１頁分の用紙の用紙厚の偏りに応じて発生する、連続用紙上面の用紙幅方向の傾斜を減少させるように変形可能な前記ダンパ。
【請求項３】
次の構成要件（Ａ05）を備えた請求項１または２記載の連続用紙スタックトレイ装置、
（Ａ05）前記スタッカテーブルの上方に配置され且つ前記連続用紙の幅方向に延びる回転軸と前記回転軸に支持された複数の羽根とを有し、前記回転軸回りに回転駆動されるパドルであって、前記連続用紙を前記折り線で確実に折り畳んで前記スタッカテーブル上に積載するため、前記スタッカテーブルの上面に向かって下向きに搬送される連続用紙の前記折り線の上流側近傍部を前記羽根の先端部により下方に押し下げるように回転する前記パドル。
【請求項４】
次の構成要件（Ａ06）を備えた請求項３記載の連続用紙スタックトレイ装置、
（Ａ06）前記パドル回転時のパドルの負荷トルクの値が所定範囲内となるように前記昇降テーブルを昇降させる昇降テーブル昇降装置。
【発明の詳細な説明】
【技術分野】
【０００１】
本発明は、連続用紙を使用するプリンタ、複写機等の画像形成装置のスタックトレイ装置に関し、さらに詳細に言うと、画像記録済の連続用紙が折り畳まれながら排出されるスタッカテーブルを有する連続用紙スタックトレイ装置に関する。
【背景技術】
【０００２】
前記スタッカテーブルの上方には、前記連続用紙の幅方向に延びる回転軸回りに回転駆動されるパドルが配置されている。前記パドルは、前記スタッカテーブルの上面に向かって下向きに搬送される連続用紙を前記折り線で確実に折り畳んで前記スタッカテーブル上に積載するため、前記連続用紙の前記折り線の上流側近傍部をパドル先端部により下方に押し下げるように回転駆動される。このため、前記スタッカテーブルに排出される連続用紙は、折り線に沿って折り畳み癖の方向に折り畳まれた状態でスタックされる。
【０００３】
連続用紙を、前記パドルにより前記折り線で確実に折り畳んで前記スタッカテーブル上に積載する技術は、特許文献１（特開２０００−１７７８８７号公報）に記載されている。
【特許文献１】特開２０００−１７７８８７号公報
【発明の開示】
【発明が解決しようとする課題】
【０００４】
（特許文献１（特開２０００−１７７８８７号公報）記載の技術の問題点）
ところで最近、前記連続用紙が多様化しており、様々なデザインの連続用紙が使用されている。特に、連続用紙の折り線により区切られた１頁分毎にカード等を貼り付けた連続用紙（カード貼り付け連続用紙）は、１頁内で部分的に用紙の厚さが異なる。このような１頁内で部分的に用紙の厚さが異なる連続用紙を使用した場合、特許文献１記載の従来の用紙折り畳みスタットレイ装置では、用紙が積み重なるにつれて、スタックトレイ装置上に積載された連続用紙は、前記部分的に厚い部分が上方に突出するため、積載された連続用紙の上面が傾斜した状態になる。前記連続用紙の積載量が増加するにつれて、前記連続用紙の上面の傾斜は大きくなる。
前記連続用紙の上面が用紙幅方向に傾斜した場合、前記傾斜が大きくなると、前記パドルにより、連続用紙を前記折り線で確実に折り畳んで前記スタッカテーブル上に積載できなくなることがある。
本発明は前記事情に鑑み、次の記載内容（Ｏ01），（Ｏ02）を技術的課題とする。
（Ｏ01）１頁内で部分的に厚さが異なる連続用紙を使用した場合に、スタックトレイ装置上に積載される連続用紙の上面の傾斜を少なくすること。
（Ｏ02）前記連続用紙の上面の傾斜の発生により前記連続用紙の折り線での折り畳み不良が発生することを少なくすること。
【課題を解決するための手段】
【０００５】
次に、前記課題を解決するために案出した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００６】
（本発明）
前記課題を解決するために本発明の連続用紙スタックトレイ装置は、次の構成要件（Ａ01）〜（Ａ03）を備えたことを特徴とする。
（Ａ01）昇降テーブル昇降装置により昇降される昇降テーブル（１１）、
（Ａ02）前記昇降テーブル（１１）上にダンパ（１３）を介して傾斜可能に支持されたスタッカテーブル（１４）であって、折り線（Ｐａ）を有する連続用紙（Ｐ）が前記折り線（Ｐａ）で折り畳まれながら排出されるスタッカテーブル（１４）、
（Ａ03）前記スタッカテーブル（１４）上に積載された連続用紙（Ｐ）の前記折り線（Ｐａ）で区切られた１頁分の用紙の重量の偏りに応じて変形する前記ダンパ（１３）であって、前記１頁分の用紙の厚さの偏りに応じて発生する前記積載された連続用紙（Ｐ）上面の傾斜が減少するように、前記スタッカテーブル（１４）を傾斜させる前記ダンパ（１３）。
【０００７】
（本発明の作用）
前記構成要件（Ａ01）〜（Ａ03）を備えた本発明の連続用紙スタックトレイ装置は、前記スタッカテーブル（１４）には、折り線（Ｐａ）を有する連続用紙（Ｐ）が前記折り線（Ｐａ）で折り畳まれながら排出される。尚、連続用紙（Ｐ）の折り線（Ｐａ）は、予め折り畳み癖が付いていると折り畳み装置等を別途設ける必要がないので好ましい。
連続用紙（Ｐ）の前記折り線（Ｐａ）で区切られた１頁分の用紙の用紙厚に偏りが有る場合、前記用紙厚の偏りに応じて、前記スタッカテーブル（１４）上に積載された連続用紙（Ｐ）上面には傾斜が生じる。
前記スタッカテーブル（１４）上に積載された連続用紙（Ｐ）の前記折り線（Ｐａ）で区切られた１頁分の用紙の重量の偏りに応じて変形する前記ダンパ（１３）は、前記積載された連続用紙（Ｐ）上面の傾斜が減少するように前記スタッカテーブル（１４）を傾斜させる。
【０００８】
（本発明の形態１）
本発明の形態１の連続用紙スタックトレイ装置は、前記本発明において、次の構成要件（Ａ04）を備えたことを特徴とする。
（Ａ04）前記スタッカテーブル（１４）上に積載された連続用紙（Ｐ）の前記折り線（Ｐａ）で区切られた１頁分の用紙の用紙厚の偏りに応じて発生する、連続用紙（Ｐ）上面の用紙幅方向の傾斜を減少させるように変形可能な前記ダンパ（１３）。
【０００９】
（本発明の形態１の作用）
前記構成要件（Ａ04）を備えた本発明の形態１の連続用紙スタックトレイ装置では、前記ダンパ（１３）は、前記スタッカテーブル（１４）上に積載された連続用紙（Ｐ）上面の用紙幅方向の傾斜を減少させるように変形する。
【００１０】
（本発明の形態２）
本発明の形態２の連続用紙スタックトレイ装置は、前記本発明または本発明の形態１において次の構成要件（Ａ05）を備えたことを特徴とする。
（Ａ05）前記スタッカテーブル（１４）の上方に配置され且つ前記連続用紙（Ｐ）の幅方向に延びる回転軸（１６ａ）と複数の羽根（１６ｂ〜１６ｆ）とを有し、前記回転軸（１６ａ）回りに回転駆動されるパドル（１６）であって、前記連続用紙（Ｐ）を前記折り線（Ｐａ）で確実に折り畳んで前記スタッカテーブル（１４）上に積載するため、前記スタッカテーブル（１４）の上面に向かって下向きに搬送される連続用紙（Ｐ）の前記折り線（Ｐａ）の上流側近傍部を前記羽根（１６ｂ〜１６ｆ）の先端部により下方に押し下げるように回転する前記パドル（１６）。
【００１１】
（本発明の形態２の作用）
前記構成要件（Ａ05）を備えた本発明の形態２の連続用紙スタックトレイ装置では、前記スタッカテーブル（１４）の上方に配置され且つ前記連続用紙（Ｐ）の幅方向に延びる回転軸（１６ａ）回りに回転駆動されるパドル（１６）は、前記連続用紙（Ｐ）を前記折り線（Ｐａ）で確実に折り畳んで前記スタッカテーブル（１４）上に積載するため、前記スタッカテーブル（１４）の上面に向かって下向きに搬送される連続用紙（Ｐ）の前記折り線（Ｐａ）の上流側近傍部を前記羽根（１６ｂ〜１６ｆ）の先端部により下方に押し下げるように回転する。
【００１２】
（本発明の形態３）
本発明の形態３の連続用紙スタックトレイ装置は、前記本発明の形態２において、次の構成要件（Ａ06）を備えたことを特徴とする。
（Ａ06）前記パドル（１６）回転時のパドル（１６）の負荷トルクの値が所定範囲内となるように前記昇降テーブル（１１）を昇降させる昇降テーブル昇降装置。
【００１３】
（本発明の形態３の作用）
前記構成要件（Ａ06）を備えた本発明の形態３の連続用紙スタックトレイ装置では、昇降テーブル昇降装置は、前記パドル（１６）回転時のパドル（１６）の負荷トルクの値が所定範囲内となるように前記昇降テーブル（１１）を昇降させる。この場合、パドル（１６）に対するスタッカテーブル（１４）の上下方向の位置（昇降位置）を適切な位置に容易に制御することができる。
【発明の効果】
【００１４】
前述の本発明の連続用紙スタックトレイ装置は、下記の効果（Ｅ01），（Ｅ02）を奏する。
（Ｅ01）１頁内で部分的に厚さが異なる連続用紙を使用した場合に、スタックトレイ装置上に積載される連続用紙の上面の傾斜を少なくすることができる。
（Ｅ02）前記連続用紙の上面の傾斜の発生により前記連続用紙の折り線での折り畳み不良が発生することを少なくすることができる。
【発明を実施するための最良の形態】
【００１５】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００１６】
図１は本発明の実施例１の連続用紙スタックトレイ装置を備えた画像形成装置の説明図である。
図１において、画像形成装置としての送り孔付き連続用紙を使用するプリンタＵは、プリンタ支持面ＰＳ上に支持されている。前記プリンタＵの右側上部にＵＩ（ユーザインタフェース）が設けられている。ＵＩ（ユーザインタフェース）には、図示しない電源スイッチ、ディスプレイ、濃度調整スイッチ等が設けられている。前記ＵＩの下側には右端部に図示しない制御ボードを収容するためのボード収容部Ｓが設けられている。
前記ボード収容部Ｓの左側には、ドラム状の感光体ＰＲが回転可能に支持されている。前記感光体ＰＲの上側には転写ロールＴｒが配置されている。前記感光体ＰＲの周囲には、その回転方向に沿って前記転写ロールＴｒ、クリーナＣＬ、帯電器（チャージコロトロン）ＣＣ、現像器Ｄが配置されている。
なお、前記転写ロールＴｒの代わりに転写コロトロンを使用可能であり、前記帯電器（チャージコロトロン）ＣＣの代わりに帯電ロールを使用可能である。
【００１７】
前記感光体ＰＲ、転写ロールＴｒ、クリーナＣＬ、帯電器ＣＣ、現像器Ｄは、前後方向（図１の画面に垂直な方向、Ｘ軸方向）に移動可能な移動台１上に支持されている。前記移動台１の下方にはＲＯＳ（潜像形成装置）が配置されている。前記ＲＯＳ（潜像形成装置）の下方には電源回路Ｅが配置されている。
回転する前記感光体ＰＲの表面は、帯電器ＣＣにより一様に帯電され、前記帯電された感光体ＰＲ表面は、前記ＲＯＳ（潜像形成装置）から出射されるレーザビームＬにより静電潜像が形成される。前記感光体ＰＲ表面の静電潜像は、現像器Ｄによりトナー像に現像される。前記感光体ＰＲ表面のトナー像は、前記感光体ＰＲと転写ロールＴｒとが対向する転写領域Ｑ１に搬送される。
【００１８】
前記プリンタＵは、送り孔付き連続用紙Ｐを収容する連続用紙収容部ＴＲ１を有している。前記連続用紙収容部ＴＲ１に収容された送り孔付き連続用紙Ｐは用紙搬送用のトラクタユニット（用紙搬送部材）Ｋ１，Ｋ２，Ｋ３およびガイドロールＲ，Ｒ等により搬送される。転写ロールＴｒは、前記送り孔付き連続用紙Ｐが前記転写領域Ｑ１を通過する際に感光体ＰＲ表面のトナー像を送り孔付き連続用紙Ｐに転写する。前記用紙搬送用のトラクタユニットＫ１，Ｋ２，Ｋ３は、ほぼ同様に構成されている。
【００１９】
（用紙搬送用トラクタユニット）
図２は用紙搬送用のトラクタユニットの説明図であり、図２Ａは連続用紙を搬送するトラクタユニットの斜視図、図２Ｂトラクタユニットの説明図で前記図２ＡのIIＢ−IIＢ線から見た図である。
図２Ａにおいて、送り孔付き連続用紙Ｐには、用紙搬送方向に所定間隔離れる毎に折り線（直線に沿って小さい孔（またはスリット等）が形成された部分）Ｐａが形成されている。また、送り孔付き連続用紙Ｐの用紙幅方向両側には用紙搬送方向に沿って一定間隔ａで且つ用紙搬送方向同一位置に送り孔Ｐｃ が形成されている。
【００２０】
図２Ａにおいて、前記用紙幅方向（Ｘ軸方向、すなわち、前後方向）に離れて配置された前後一対のトラクタユニットＫ１，Ｋ１は、用紙幅方向に延びる固定シャフトＳ０に支持されている。前後一対のトラクタユニットＫ１，Ｋ１の中の前側（Ｘ側）のトラクタユニットＫ１は固定シャフトＳ０に固定支持されている。後側（−Ｘ側）のトラクタユニットＫ１は固定シャフトＳ０上にスライド可能且つ固定可能に支持されており、使用される連続用紙の幅に応じて固定シャフトＳ０上で位置調節された状態で固定される。
各トラクタユニットＫ１，Ｋ１はガイドフレーム２を有している。ガイドフレーム２には軸受３，４が装着されており、前記トラクタシャフトＳ１，Ｓ２は前記軸受３，４により前記ガイドフレーム２に対して回転可能に支持されている。また、前記トラクタシャフトＳ１の前端部（Ｘ方向端部）は、前記軸受３を貫通して前方に突出している。その突出部には、モータ（図示せず）の回転力が伝達される。
【００２１】
前記トラクタシャフトＳ１，Ｓ２にはそれぞれタイミングプーリ５，６が装着されている。前記ガイドフレーム２と前記軸受３，４と、前記タイミングプーリ５，６とにより、ピンベルト７を回転可能に支持するベルト支持部材（２〜６）が構成されている。図２Ａ、図２Ｂにおいて、ピンベルト７の外周には複数のトラクタピン７ａが一定間隔ａで設けられている。前記トラクタピン７ａは前記送り孔Ｐｃに嵌合可能である。
【００２２】
前記トラクタシャフトＳ１には図示しない回転駆動部材から回転力が伝達されるように構成されている。トラクタシャフトＳ１が回転すると、前記用紙幅方向両側の端部に装着されたタイミングプーリ（ベルト駆動部材）５（図２Ｂ参照）が回転する。前記タイミングプーリ５の回転にともなって前記用紙幅方向両側のピンベルト７およびタイミングプーリ６も回転する。前記トラクタピン７ａが前記送り孔Ｐｃに嵌合している状態で前記ピンベルト７が回転すると、前記送り孔付き連続用紙Ｐは用紙搬送方向に搬送される。
【００２３】
図１において、前記転写領域Ｑ１においてトナー像が転写された送り孔付き連続用紙Ｐは、シートガイドＧ１にガイドされて定着領域Ｑ２に搬送される。定着領域Ｑ２を通過する送り孔付き連続用紙Ｐ上のトナー像はフラッシュランプを使用した定着器Ｆにより定着用の光を照射されて加熱定着される。
【００２４】
前記定着領域Ｑ２の通過時に定着器Ｆでトナー像が加熱定着された送り孔付き連続用紙Ｐは、冷却用ブロワ９から送風される冷却風により冷却される。前記冷却風は排気ダクト１０から排気される。前記冷却風により冷却されたトナー像が形成された送り孔付き連続用紙Ｐは、左右一対のガイドバーＲｂ，Ｒｂおよび用紙ガイド部材Ｇ２，Ｇ２の間を順次通って、下方の連続用紙スタックトレイ装置ＴＲ２に搬送される。
【００２５】
（連続用紙スタックトレイ装置）
図３は前記図１に示す連続用紙スタックトレイ装置の説明図であり、図３Ａは前面図、図３Ｂは右側面図で前記図３ＡのIIIＢ−IIIＢ線断面図である。
図１、図３において、連続用紙スタックトレイ装置ＴＲ２は、矢印Ｙａ方向に上下動可能に構成された昇降テーブル１１を有している。前記昇降テーブル１１の上面にはダンパ支持部材１２が固定支持されている。前記ダンパ支持部材１２は、前後方向（Ｘ軸方向）に並んで配置された３個のコイルバネ１３ａにより構成されたダンパ１３の下端を支持している。前記ダンパ１３を構成する３個のコイルバネ１３ａの上端にはスタッカテーブル１４が支持されている。スタッカテーブル１４の上面には、前記送り孔付き連続用紙Ｐが前記用紙ガイド部材Ｇ２，Ｇ２の間を通って排出される。
【００２６】
前記スタッカテーブル１４の上方にはパドル１６が上下方向の位置が固定され且つ回転可能に配置されている。スタッカテーブル１４と一緒に昇降する前記昇降テーブル１１は、スタッカテーブル１４上面に積載された送り孔付き連続用紙Ｐの上面が前記パドル１６に対して所定の位置に配置されるように昇降テーブル昇降装置（図示せず）により昇降制御される。
パドル１６は、送り孔付き連続用紙Ｐの用紙幅方向に延びる回転軸１６ａと、前記回転軸１６ａの軸方向に所定間隔を空けて固定された羽根１６ｂ〜１６ｆとを有している。各羽根１６ｂ〜１６ｆは回転軸１６ａを貫通する１枚のシートにより構成されている。各羽根１６ｂ〜１６ｆを回転軸１６ａの軸方向から見た場合、羽根１６ｂと羽根１６ｃと羽根１６ｄとは、前記回転軸１６ａ回りに、６０°づつ回転した位置に配置されている。また、羽根１６ｅは前記羽根１６ｂと同じ回転位置に配置されており、羽根１６ｆは羽根１６ｃと同じ回転位置に配置されている。
【００２７】
送り孔付き連続用紙Ｐが前記スタッカテーブル１４上面に排出される際、前記パドル１６は回転駆動される。前記昇降されるスタッカテーブル１４の上面は、前記スタッカテーブル１４上面に排出される送り孔付き連続用紙Ｐの折り線Ｐａの上流側近傍部分が、前記羽根１６ｂ〜１６ｆのいずれかにより、積載された送り孔付き連続用紙Ｐの上面に押圧されるように位置制御される。
すなわち、前記パドル１６の前記羽根１６ｂ〜１６ｆのいずれかが、前記スタッカテーブル１４上に積載された送り孔付き連続用紙Ｐの上面に、送り孔付き連続用紙Ｐの折り線の上流側を押圧した際に、前記パドル１６の回転軸に作用する負荷（またはトルク）が一定となるように、前記昇降テーブル１１は昇降制御される。
前記符号１１，１２，１４，１６により示される構成要素により連続用紙スタックトレイ装置ＴＲ２が構成されている。
【００２８】
（実施例１の作用）
前記構成を備えた実施例１の連続用紙スタックトレイ装置ＴＲ２では、前記送り孔付き連続用紙Ｐが１頁毎にカードが付着した用紙であって、１頁内で部分的に厚さが異なる場合には、図３Ｂに示すように、積載された連続用紙の１頁分の前記カードが付着した部分の厚さは他の部分の厚さよりも厚くなる。
前記送り孔付き連続用紙Ｐのカードが付着した部分は重量が大きいので、図３Ｂに示すように、スタッカテーブル１４が傾斜する。前記スタッカテーブル１４が傾斜することにより、スタッカテーブル１４上面に折り畳まれた状態で積載された送り孔付き連続用紙Ｐの上面の傾斜を少なくすることができる。
【００２９】
すなわち、前記ダンパ１３は、前記スタッカテーブル上に積載された連続用紙の前記折り線で区切られた１頁分の用紙の用紙厚の偏りに応じて発生する、連続用紙上面の傾斜を減少させるように変形する。
したがって、前記連続用紙の上面の傾斜の発生により前記連続用紙の折り線での折り畳み不良が発生することを少なくすることができる。したがって、連続用紙スタックトレイ装置ＴＲ２に搬送された送り孔付き連続用紙Ｐは、１頁分の用紙の用紙厚に偏りが有る場合でも、折り目Ｐａ（図２Ａ参照）により自動的に折り畳まれた状態で前記連続用紙スタックトレイ装置ＴＲ２のスタッカテーブル１４上に積載される。
【産業上の利用可能性】
【００３０】
（変更例）
（Ｈ01）前記ダンパ１３は、複数のコイルバネを使用する代わりに、柔らかなスポンジゴムを使用することが可能である。
【図面の簡単な説明】
【００３１】
【図１】図１は本発明の実施例１の連続用紙スタックトレイ装置を備えた画像形成装置の説明図である。
【図２】図２は用紙搬送用のトラクタユニットの説明図であり、図２Ａは連続用紙を搬送するトラクタユニットの斜視図、図２Ｂトラクタユニットの説明図で前記図２ＡのIIＢ−IIＢ線から見た図である。
【図３】図３は前記図１に示す連続用紙スタックトレイ装置の説明図であり、図３Ａは前面図、図３Ｂは右側面図で前記図３ＡのIIIＢ−IIIＢ線断面図である。
【符号の説明】
【００３２】
Ｐａ…折り線、
Ｐ…連続用紙、
１１…昇降テーブル、
１３…ダンパ、
１４…スタッカテーブル、
１６…パドル、
１６ａ…回転軸、
１６ｂ〜１６ｆ…羽根、
【図１】
2006213481.tif 000003
【図２】
2006213481.tif 000004
【図３】
2006213481.tif 000005